(57)【要約】【課題】バックアップ機能を持たなくとも、音量の初期設定を容易に変更すること。【解決手段】この電子楽器には、音量の増減を指示するための音量制御操作子ＰＬ，ＭＮが設けられており、ＲＯＭ３には、複数の標準音量設定値が音量設定テーブルＶＴとして予め記憶されている。電子楽器の起動に際して、ユーザが電源スイッチＰＷをオン操作すると同時に音量減少用操作子ＭＮを操作すると、音量設定テーブルＶＴから、家庭用の電子楽器に適した小さい方の標準音量設定値が選択され、この標準音量設定値がこの電子楽器の標準音量として初期設定される。そして、電源をオフしないで電子楽器を通常使用している間は、ユーザは各音量制御操作子ＰＬ，ＭＮの操作によって、初期設定された標準音量設定値から所望の設定音量に変更して行くことができ、また、音量制御操作子ＰＬ，ＭＮの同時操作により、直ちに、初期設定された標準音量に戻すことができる。【選択図】図１
2006184707.tif 000002
【特許請求の範囲】
【請求項１】
設定音量に応じて音量が制御される楽音信号を生成する電子楽器であって、
複数の音量設定値を記憶した記憶手段と、
上記設定音量の変更を指示するための音量制御操作子と、
起動時における上記音量制御操作子の操作状態を取得する取得手段と、
取得された操作状態に応じて上記記憶手段から音量設定値を選択し、選択された音量設定値を上記設定音量の値に設定する設定手段と、
上記音量制御操作子の操作に応じて上記設定音量の値を変更する変更手段と
を具備することを特徴とする電子楽器。
【請求項２】
前記設定手段は、選択された音量設定値を保持する音量値保持手段を備え、
前記変更手段は、標準音量の設定を指示する操作に応じて、上記音量値保持手段により保持されている音量設定値を前記設定音量の値として再設定する再設定手段を備える
ことを特徴とする請求項１に記載の電子楽器。
【請求項３】
前記記憶手段は、各音量設定値に対応して音量設定モードを記憶し、
前記設定手段は、選択された音量設定値に対応する音量設定モードを保持するモード保持手段を備え、
前記変更手段は、標準音量の設定を指示する操作に応じて、上記モード保持手段により保持されている音量設定モードに対応する音量設定値を前記設定音量の値として再設定する再設定手段を備える
ことを特徴とする請求項１に記載の電子楽器。
【請求項４】
前記記憶手段は、各音量設定値に対応して音量変更レンジを記憶し、
前記設定手段は、選択された音量設定値に対応する音量変更レンジを前記変更手段により変更可能な設定音量の範囲として設定する範囲設定手段を備える
ことを特徴とする請求項１に記載の電子楽器。
【発明の詳細な説明】
【技術分野】
【０００１】
この発明は、音量設定に関する機能性を向上させたバックアップ機能を持たない電子楽器に関する。
【背景技術】
【０００２】
従来より、電子楽器においては、例えば、特許文献１に示されるように、設定状態を不揮発メモリに保存することにより、電源再投入時に以前の設定を再現させる技術がある。しかしながら、不揮発メモリを装備する分、価格が高くなってしまうため、低価格帯向けの商品では実装することができなかった。
【特許文献１】特公平１−３７７５３号公報
【０００３】
例えば、低価格モデルの電子楽器においては、可変抵抗器のように物理的に位置を記憶するデバイスも、先の不揮発メモリに記憶する手段も持たず、電源投入直後の音量は必ず設計上決められた値になっていた。このようにして予め決められた音量値は、通常、店頭デモンストレーションにも適するように、大きな音量に設定してあるので、家庭で使用するときには大き過ぎて音量を絞らなければならないという不都合があった。
【０００４】
つまり、バックアップ機能を持たない電子楽器において、電子楽器を起動した後で音量を絞る場合には、可変抵抗器がなく、＋／−スイッチを用いて適切な音量に合わせるという操作を行うが、この操作は、電子楽器起動の度に毎回行う必要がある。
【発明の開示】
【発明が解決しようとする課題】
【０００５】
この発明は、このような不都合に鑑み、バックアップ機能を持たなくても音量の初期設定を容易に変更することができる電子楽器を提供することを目的とする。
【課題を解決するための手段】
【０００６】
この発明の主たる特徴に従うと、設定音量に応じて音量が制御される楽音信号を生成する電子楽器であって、複数の音量設定値〔Ｓｖ〕を記憶した記憶手段〔３；ＶＴ〕と、設定音量の変更を指示するための音量制御操作子〔ＰＬ，ＭＮ〕と、起動時〔ＰＷオン〕における音量制御操作子〔ＰＬ，ＭＮ〕の操作状態を取得する取得手段〔Ｓ１，Ｓ１１〕と、取得された操作状態に応じて記憶手段〔ＶＴ〕から音量設定値〔Ｓｖ〕を選択し、選択された音量設定値〔Ｓｖ〕を設定音量の値に設定する設定手段〔２Ａ；Ｓ２〜Ｓ６，Ｓ１２〜Ｓ１８〕と、音量制御操作子〔ＰＬ，ＭＮ〕の操作に応じて設定音量の値を変更する変更手段〔Ｐ１〜Ｐ５〕とを具備する電子楽器（請求項１）が提供される。なお、括弧書きは、理解の便のために付記した実施例の参照記号乃至用語等を表わす。
【０００７】
この電子楽器において、設定手段〔２Ａ；Ｓ２〜Ｓ６〕は、選択された音量設定値〔Ｓｖ〕を保持する音量値保持手段〔２Ａ；Ｓ３（ａ），Ｓ４（ａ）〕を備え、変更手段〔Ｐ１〜Ｐ５〕は、標準音量の設定を指示する操作〔ＰＬ，ＭＮ同時操作〕に応じて〔Ｐ２→ＹＥＳ〕、音量値保持手段〔２Ａ；Ｓ３（ａ），Ｓ４（ａ）〕により保持されている音量設定値〔Ｓｖ〕を設定音量の値として再設定する再設定手段〔Ｐ２，Ｐ３（ａ）〕を備える（請求項２）ように構成することができる。また、この電子楽器において、記憶手段〔ＶＴ〕は、各音量設定値〔Ｓｖ〕に対応して音量設定モード〔Ｍｖ〕を記憶し、設定手段〔２Ａ；Ｓ２〜Ｓ６〕は、選択された音量設定値〔Ｓｖ〕に対応する音量設定モード〔Ｍｖ〕を保持するモード保持手段〔２Ａ；Ｓ３（ｂ），Ｓ４（ｂ）〕を備え、変更手段〔Ｐ１〜Ｐ５〕は、標準音量の設定を指示する操作〔ＰＬ，ＭＮ同時操作〕に応じて〔Ｐ２→ＹＥＳ〕、モード保持手段〔２Ａ；Ｓ３（ｂ），Ｓ４（ｂ）〕により保持されている音量設定モード〔Ｍｖ〕に対応する音量設定値〔Ｓｖ〕を設定音量の値として再設定する再設定手段〔Ｐ２，Ｐ３（ｂ）〕を備える（請求項３）ように構成することができる。
【０００８】
さらに、この電子楽器において、記憶手段〔ＶＴ〕は、各音量設定値〔Ｓｖ〕に対応して音量変更レンジ〔Ｒｖ〕を記憶し、設定手段〔２Ａ；Ｓ１２〜Ｓ１８〕は、選択された音量設定値〔Ｓｖ〕に対応する音量変更レンジ〔Ｒｖ〕を変更手段〔Ｐ１〜Ｐ５〕により変更可能な設定音量の範囲として設定する範囲設定手段〔２Ａ；Ｓ１４，Ｓ１６〕を備える（請求項４）ように構成することができる。
【発明の効果】
【０００９】
この発明の主たる特徴によると、楽音信号に対する設定音量の増減を指示するための音量制御操作子〔ＰＬ，ＭＮ〕が設けられた電子楽器において、電子楽器に装備されているＲＯＭなどの不揮発性記憶手段〔３〕に、複数の音量設定値〔Ｓｖ〕をテーブル〔ＶＴ〕などの形で予め記憶しておく。電子楽器の起動に際して、ユーザが電源スイッチ〔ＰＷ〕をオン操作すると同時に音量制御操作子〔ＰＬ，ＭＮ〕を操作すると、この音量制御操作子〔ＰＬ，ＭＮ〕の操作状態が検出され〔Ｓ２，Ｓ１２〕、ＲＯＭ〔３〕に予め記憶された複数の音量設定値〔Ｓｖ〕から、検出された音量制御操作子〔ＰＬ，ＭＮ〕の操作状態に対応する音量設定値〔Ｓｖ〕が選択され〔Ｓ３・Ｓ４，Ｓ１３・Ｓ１４〕、選択された音量設定値〔Ｓｖ〕が設定音量の値に設定される〔Ｓ５・Ｓ１７〕。
【００１０】
例えば、ユーザが音量減少指示用音量制御操作子〔ＭＮ〕を操作しつつ電源スイッチ〔ＰＷ〕をオンすると、テーブル〔ＶＴ〕中の複数の音量設定値〔Ｓｖ〕から、家庭用の電子楽器に適した小さい方の音量設定値〔Ｓｖ〕が選択されて設定音量の初期設定値として設定され、この初期設定値〔Ｓｖ〕は標準音量（設定音量に対する標準値）と呼ばれる。また、電源をオフしないで電子楽器を通常使用している間、ユーザは、初期設定された標準音量〔Ｓｖ〕から設定音量を変更したい場合には、音量制御操作子〔ＰＬ，ＭＮ〕を操作することにより、最初は標準音量〔Ｓｖ〕を基準にして、順次、所定量ずつ所望の設定音量に変更して行くことができる〔Ｐ４〕。
【００１１】
従って、この発明によれば、バックアップ機能を持たない電子楽器であっても、電源投入時における音量制御操作子の同時操作という簡単な操作によって音量の初期設定を容易に変更することができ、電子楽器の使用中は、音量制御操作子の操作により音量初期設定から増減して音量を容易に調節することができる。また、音量の初期設定のために新たな装備を追加していないので、安価なデバイスで所望の音量調節を実現することができる。
【００１２】
また、この発明では、電子楽器の使用中に、標準音量の設定を指示する操作〔例えば、ＰＬ，ＭＮ同時操作〕をユーザが行った場合には、設定音量は電源投入時に設定された状態に戻るように構成される。例えば、音量の増大及び減少を夫々指示する２つの音量制御操作子〔ＰＬ，ＭＮ〕をユーザが同時に操作することにより標準音量の再設定が指示される。従って、この発明によれば、音量制御操作子の所定の電源投入時に設定された標準音量を基準にした音量調節を簡単に実現することができる。
【００１３】
さらに、この発明では、複数の音量設定値〔Ｓｖ〕だけでなく各音量設定値〔Ｓｖ〕に対応する音量変更レンジ〔Ｒｖ〕を記憶しておき、電子楽器の起動時に、選択された音量設定値〔Ｓｖ〕に対応する音量変更レンジ〔Ｒｖ〕を読み出して、設定音量の変更可能な範囲を設定するように構成される。従って、この発明によれば、電子楽器の使用中には、音量制御操作子の操作に基づく音量設定の範囲を、初期設定音量（標準音量）に対応した最適レンジ内に制限することができる。
【発明を実施するための最良の形態】
【００１４】
〔システムの概要〕
図１は、この発明の一実施例による電子楽器のハードウエア構成ブロック図を示す。この電子楽器は、中央処理装置（ＣＰＵ）１、ランダムアクセスメモリ（ＲＡＭ）２、読出専用メモリ（ＲＯＭ）３、演奏操作検出回路４、設定操作検出回路５、表示回路６、音源回路７、効果回路８、ＭＩＤＩインターフェース（Ｉ／Ｆ）９などを備え、これらの要素１〜９はバス１０を介して互いに接続される。
【００１５】
ＣＰＵ１は、所定の制御プログラムに従い、タイマ１１によるクロックを利用して、音量設定処理などを含む演奏情報処理を実行する。ＲＡＭ２は、揮発性メモリであり、これらの処理に際して必要な各種データを一時記憶するためのワーク領域として用いられ、例えば、設定された標準音量（Ｓｖ）又は音量設定モード（Ｍｖ）更には音量設定レンジ（Ｒｖ）を保持するための設定情報保持エリア２Ａが確保される。また、ＲＯＭ３には、これらの処理を実行するために、音量設定処理を含む各種制御プログラムや、デモンストレーション用曲データ、音量設定テーブルＶＴ等が予め記憶される。
【００１６】
演奏操作検出回路４は、鍵盤などの演奏操作子１２の演奏操作内容を検出し、設定操作検出回路５は、キースイッチ等の設定操作子１３の設定操作内容を検出し、それぞれ、検出内容に対応する情報をシステム本体に導入する。設定操作子１３には、例えば、音量の増減を指示するための音量制御操作子ＰＬ，ＭＮが含まれる。
【００１７】
表示回路６は、ＬＣＤやＬＥＤ等の表示器１４や各種インジケータ・ランプ（図示せず）を備え、これらの表示／点灯内容をＣＰＵ１からの指令に従って制御し、各操作子１２，１３の操作に対する表示援助を行う。表示器１４には、この電子楽器に現在設定されている音量レベルを表示するため音量レベル表示部ＶＭが含まれる。また、必要に応じて、表示器１４による文字表記やＬＥＤランプの点灯などにより、設定された音量設定モード（Ｍｖ）や音量設定レンジ（Ｒｖ）を表示するように構成することができる。
【００１８】
この電子楽器の操作パネルには、上述した設定操作子１３や表示器１４などの他に、この電子楽器の電源をオンオフするための電源スイッチＰＷが設けられる。図１の下部は、この電子楽器の操作パネル中から、音量設定に関する音量設定パネル部(Master Volume )ＶＳと電源スイッチＰＷに関する電源制御パネル部(Power )ＰＳを部分的に抽出したものである。この例では、ＬＣＤ表示器１４の音量レベル表示部ＶＭに音量レベルメータを表示して現在の音量設定状態がバーグラフ的に表わされ、レベルメータの増減方向に対応する位置にプラスキーＰＬ及びマイナスキーＭＮが音量制御操作子として設けられる。
【００１９】
なお、プラスキーＰＬは、その操作がなされる度に所定量ずつ設定音量を増大するように指示するのに用いられ、マイナスキーＭＮは、その操作がなされる度に所定量ずつ設定音量を減少するように指示するのに用いられる。また、電源スイッチＰＷは、最初に操作されると電子楽器の電源を投入し、次に操作されると当該電源を遮断するというように、操作の度に電源のオンオフを交互に行うものであり、電源を投入するための操作をオン操作と呼び、電源を遮断するための操作をオフ操作と呼ぶ。
【００２０】
音量レベルメータＶＭの各表示セグメント或いはプラスキーＰＬ及びマイナスキーＭＮは、同じ大きさに揃えてもよいが、図示のように、これらの大きさを音量の増減に合わせた異なる大きさにすると、初心者には視覚的に使い勝手がよくなる。また、音量レベルメータＶＭの表示はＬＥＤ等の他の表示要素を用いてもよい。更に、現在設定されている音量の表示は、レベルメータでなく数値で行ってもよいし、また、省略することもできる。
【００２１】
音源回路７は、演奏操作子１２からの実演奏に基づく演奏情報やＲＯＭ３からの曲データに基づく演奏情報に応じて、対応する楽音信号を生成し、効果付与ＤＳＰを有する効果回路８は、この楽音信号に所定の効果を付与すると共に、音量設定処理機能により設定乃至変更された設定音量を基準にしてその楽音信号の値を制御する。
【００２２】
効果回路８に後続するサウンドシステム１５は、Ｄ／Ａ変換部やアンプ、スピーカを備え、効果が付与され設定音量に応じた値をもつ楽音信号に基づく楽音を発生する。なお、サウンドシステム１５には、ヘッドホン出力や、補助（ＡＵＸ）出力、ライン（ＬＩＮＥ）出力等の外部のオーディオ出力利用機器へのオーディオ信号出力端子を設けることができる（図示せず）。
【００２３】
また、ＭＩＤＩＩ／Ｆ９には他のＭＩＤＩ音楽機器３０が接続され、この電子楽器と他の音楽機器３０との間で、演奏データを含むＭＩＤＩ曲データを授受し、このシステムで利用することができる。なお、図１では、必ずしも、外部のＭＩＤＩ機器３０に接続する必要はなく、ＭＩＤＩＩ／Ｆ９はなくてもよい。また、この電子楽器は、廉価な家庭用のモデルであるため、ＨＤ（ハードディスク）等の不揮発性メモリから成る外部記憶装置や通信Ｉ／Ｆなどを備えていない。
【００２４】
〔音量設定テーブルによる標準音量の初期設定〕
この発明の一実施例による電子楽器では、予め、複数の標準音量設定値を表わす音量設定テーブルをＲＯＭに記憶しておき、電子楽器起動時の音量制御用操作子の操作状態に応じて標準音量設定値を簡単に選択することができる。すなわち、図１に示すように設定操作子１３の中にプラスキーＰＬ及びマイナスキーＭＮを含む電子楽器において、これらの操作子ＰＬ，ＭＮは、音量の増大及び減少を指示するための音量制御操作子として機能するだけでなく、起動時には、ＲＯＭに記憶された音量設定テーブルＶＴ中から所定の標準音量設定値（単に「プリセット値」ともいう）を選択する機能を有する。
【００２５】
この電子楽器の特徴を要約すると次のとおりである：この電子楽器には、音量の増減を指示するための音量制御操作子ＰＬ，ＭＮが設けられており、ＲＯＭ３には、複数の標準音量設定値（Ｓｖ）が音量設定テーブルＶＴとして予め記憶されている。電子楽器の起動に際して、ユーザが電源スイッチＰＷをオン操作すると同時に音量減少用操作子ＭＮを操作すると、音量設定テーブルＶＴから、家庭用の電子楽器に適した小さい方の標準音量設定値が選択され、この標準音量設定値がこの電子楽器の標準音量として初期設定される。そして、電源をオフしないで電子楽器を通常使用している間は、ユーザは各音量制御操作子ＰＬ，ＭＮの操作によって、初期設定された標準音量設定値から所望の設定音量に変更して行くことができ、また、音量制御操作子ＰＬ，ＭＮの同時操作によって、設定音量を、直ちに、初期設定された標準音量に戻す（再設定する）ことができる。
【００２６】
なお、「音量設定」乃至「設定音量」は、既存の電子楽器と同様に、電子楽器が持つスピーカ（１５）からの放音、ヘッドホン出力、ＡＵＸ出力などに反映されるが、ＬＩＮＥ出力には影響しない。しかしながら、これら出力端子への設定音量の反映については製品仕様の問題であり、複数のオーディオ出力経路のうち音量設定に影響される経路は、電子楽器に実装内容に依存する。
【００２７】
さて、図２は、ＲＯＭに記憶される音量設定テーブルＶＴを説明するための図である。音量設定テーブルＶＴは、基本的には、図示の上下各段に示されるように、大小の所定値に定められた複数（典型的には２つ）の標準音量設定値Ｓｖで構成される。図２の例では、小さい方の標準音量設定値Ｓｖ（下段）は、この電子楽器のように家庭用モデルの標準音量に相応しい値、例えば“４３”に定められ、大きい方の標準音量設定値Ｓｖ（上段）は、店頭などでのデモンストレーション演奏時の標準音量に対応する値、例えば“１００”に定められている。なお、この例では、音量設定は、最小値“０”から最大値“１２７”まで１２８段階に設定することができるものとしている。
【００２８】
このような音量設定テーブルＶＴが電子楽器のＲＯＭ３に記憶されている場合、電子楽器の起動時には、電源スイッチＰＷのオン操作による起動操作と同時にマイナスキーＭＮが操作されているか否かに応じて、下段或いは上段の標準音量設定値Ｓｖが選択的にＲＡＭ２の設定情報保持エリア２Ａに設定保持される。
【００２９】
具体的には、電子楽器（装置）の起動操作（ＰＷオン操作）と同時にマイナスキーＭＮを操作したときは、図２下段の小さい方の標準音量設定値Ｓｖ＝“４３”が設定される。従って、音量レベルメータＶＭには、例えば、図１下部のように、下側の第１及び第２段階のセグメントが点灯して、小さな標準音量が設定されたことをユーザに知らせる。
【００３０】
一方、マイナスキーＭＮを同時操作することなく装置の起動操作を行ったとき（同時にプラスキーＰＬが操作された場合なども含まれる）は、図２上段の大きい方の標準音量設定値Ｓｖ＝“１００”が設定される。従って、図１下部の音量レベルメータＶＭには、例えば、６段階のセグメントのうち、下方の第１段階から第５段階までのセグメントが点灯して、大きな標準音量が設定されたことをユーザに知らせる。
【００３１】
また、音量設定テーブルＶＴには、図２左欄に示すように、各標準音量設定値Ｓｖに対応して「音量設定モード」（単に「モード」ともいう）と呼ばれるモード情報Ｍｖを付加することができ、この音量設定モードＭｖにより、電子楽器の音量設定環境が大音量モード（Ｍｖ＝「大」）であるか或いは小音量モード（Ｍｖ＝「小」）であるかを表わすことができる。
【００３２】
この場合、電子楽器の起動時には、この起動操作と同時にマイナスキーＭＮが操作されるか否かに応じて、音量設定モードは、下段のモードＭｖ＝「小」或いは上段のモードＭｖ＝「大」に設定され、設定された音量設定モードは、ＲＡＭ２の設定情報保持エリア２Ａに保持され、設定保持された各モードに対応する標準音量設定値Ｓｖが選択的に電子楽器に初期設定される。
【００３３】
このようにモードＭｖを利用すると、設定情報保持エリア２Ａに保持される情報量を縮小する（例えば、図２の場合、「大」と「小」を識別するだけの固定１ビット情報で済ませる）ことができる。また、設定情報保持エリア２Ａに設定保持されたモードＭｖは、例えば、モードＭｖで設定された小音量モードや大音量モード等の音量設定モードを表示器１４に表示したり、各音量設定モードに対応するモードランプを点灯する等の方法で、起動時に設定された音量設定モードをユーザに知らせるのにも利用することができる。
【００３４】
〔レンジ付き音量設定テーブルの利用〕
音量設定テーブルＶＴには、図２右欄の破線部に示すように、さらに、「音量設定レンジ」と呼ばれる音量設定範囲情報Ｒｖを加えた「レンジ付き音量設定テーブル」を用いて、電子楽器使用中にプラス及びマイナスキーＰＬ，ＭＮによる設定音量の変更範囲を音量設定レンジＲｖ内に制限するレンジ設定機能を持たせることができる。
【００３５】
つまり、標準音量設定値Ｓｖ及び音量設定レンジＲｖを含む音量設定テーブルを用いると、電子楽器の起動時には、標準音量設定値Ｓｖのみから成る音量設定テーブルの場合と同様に、電子楽器の起動操作と同時にマイナスキーＭＮが操作されたか否かに応じて下段又は上段のモードＭｖに対応する標準音量設定値Ｓｖが選択的に設定されるだけでなく、プラスキーＰＬ或いはマイナスキーＭＮの操作に応じたその後の音量設定値の変更を、各モードに対応する音量設定レンジＲｖの範囲内に制限することができる。
【００３６】
例えば、装置の起動操作と同時にマイナスキーＭＮを操作したときは、下段のモードＭｖ＝「小」に対応する標準音量設定値Ｓｖ＝“４３”が設定されると共に、音量設定レンジＲｖにより設定可能な音量値範囲を最小値“１”〜最大値“５０”のレンジに設定されるので、その後、プラスキーＰＬ或いはマイナスキーＭＮの操作による音量設定値の調整範囲は“１”〜“５０”に制限される。
【００３７】
一方、マイナスキーＭＮを同時操作することなく装置の起動操作を行ったときには、上段のモードＭｖ＝「大」に対応する標準音量設定値Ｓｖ＝“１００”が設定されると共に、音量設定レンジＲｖにより設定可能な音量値範囲を最小値“１０”〜最大値“１２７”のレンジに設定されるので、その後、プラスキーＰＬ或いはマイナスキーＭＮの操作による音量設定値の調整範囲は“１０”〜“１２７”に制限される。
【００３８】
「レンジ付き音量設定テーブル」を利用する場合、音量レベルメータＶＭ（図１下部参照）のレベル表示は、前述のように、音量設定レベルの絶対値“０”〜“１２７”に応じて、現在設定されている音量レベルを絶対値表示してもよいが、起動時に設定される音量設定レンジＲｖの最大値に応じてスケールを変更して相対的な音量レベルを表示するようにしてもよい。
【００３９】
この場合、例えば、起動時に、図２上段のモードＭｖ＝「大」に対応して及び音量設定レンジＲｖ＝最小値“１０”〜最大値“１２７”が設定される場合は、標準音量設定値Ｓｖ＝“１００”であり、標準音量設定値／最大値＝１００／１２８≒５／６であるので、音量レベルメータＶＭにおける６段階セグメント中の下部の第１〜第５セグメントを点灯させる。一方、下段のモードＭｖ＝「小」に対応して及び音量設定レンジＲｖ＝最小値“１”〜最大値“５０”が設定される場合には、標準音量設定値Ｓｖ＝“４３”で、やはり、標準音量設定値／最大値＝４３／５０≒５／６となるので、音量レベルメータＶＭ中の６段階のセグメント中の下部５セグメントを点灯させる。
【００４０】
すなわち、音量レベル表示は、モードＭｖの「大」・「小」に拘わらず、同一のセグメントが点灯される。しかしながら、音量設定レンジＲｖによる設定可能な音量の範囲はモードＭｖに応じて変わるので、モードＭｖ＝「小」の方が設定音量が小さくなる。このように相対的な設定音量を音量レベルメータＶＭで表わすと、ユーザは、設定可能な最大値に対する現在の設定音量の割合が分かり、特にモードＭｖ＝「小」の場合に音量設定の細かい変更がし易くなる。
【００４１】
〔音量設定処理フロー〕
図３は、この発明の一実施例による電子楽器における音量設定処理の一例を表わすフローチャートであり、図３（１）は、電子楽器起動時における音量の初期設定に関する「起動時の処理〔１〕」のフローチャートを示し、図３（２）は、その後、当該電子楽器を通常使用（電源を切らないで使用）した場合における標準音量の設定に関する「通常使用時の音量設定処理」のフローチャートを示す。
【００４２】
これらの処理フロー例では、図２で説明したように、標準音量設定値（図３以下のフロー説明では「プリセット値」という）Ｓｖとして大きい値と小さい値の２種類があり、これらの値が音量設定テーブルＶＴとしてＲＯＭ３中に予め記憶されているものとする。
【００４３】
また、図３において※印を付けたステップＳ３〜Ｓ５及びステップＰ３における（ａ）及び（ｂ）は、それぞれ、音量設定テーブルＶＴ中の標準音量設定値Ｓｖ及び音量設定モードＭｖをＲＡＭ２の設定情報記憶エリア２Ａに保持させる場合を示している。以下、各場合について、処理フローの説明を進めていく。
【００４４】
〔１〕標準音量設定値ＳｖをＲＡＭに保持する場合
標準音量設定値（プリセット値）ＳｖをＲＡＭに保持する場合には、少なくともプリセット値Ｓｖが音量設定テーブルＶＴに含まれる。この場合の動作フローは、前述のように、図３のステップＳ３〜Ｓ５，Ｐ３において（ａ）で示される処理が実行される。
【００４５】
まず、図３（１）の起動時の処理〔１〕については、電源スイッチＰＷのオン操作により起動される。最初のステップＳ１では、設定操作検出回路５により電源スイッチＰＷのオン操作中の音量制御操作子（マイナスキー）ＭＮの操作状態が検出されると、ＣＰＵ１は、この検出結果に基づくマイナスキーＭＮの操作状態情報を取得する。続くステップＳ２では、取得された操作状態情報からマイナスキーＭＮが押されている（操作されている）か否かを判定する。
【００４６】
ここで、マイナスキーＭＮが操作されていると判定したときは（Ｓ２→ＹＥＳ）、ステップＳ３（ａ）に進んで、標準音量を、プリセット値Ｓｖのうち小さい方に設定し、ＲＡＭ２の設定情報記憶エリア２Ａに保持する。一方、マイナスキーＭＮが操作されていないと判定したときには（Ｓ２→ＮＯ）、ステップＳ４（ａ）に進み、標準音量を、プリセット値Ｓｖのうち大きい方に設定し、ＲＡＭ２の設定情報記憶エリア２Ａに保持する。
【００４７】
ステップＳ３（ａ），Ｓ４（ａ）の何れかの処理の後は、ステップＳ５（ａ）に進み、電子楽器の音量設定を、設定情報記憶エリア２Ａに設定保持された標準音量Ｓｖにする。そして、次のステップＳ６において、表示器（ＬＣＤ）１４の音量レベル表示部ＶＭにおける音量表示に反映させた後、起動時の処理〔１〕を終了する。
【００４８】
次に、図３（２）の通常使用時の音量設定処理フローについては、通常使用中にタイマ割込みなどで周期的に起動される。最初のステップＰ１では、設定操作検出回路５により音量制御操作子（プラス及びマイナスキー）ＰＬ，ＭＮの操作状態を検出し、ＣＰＵ１は、この検出結果に基づく操作状態情報を取得する。次のステップＰ２では、プラスキーＰＬ及びマイナスキーＭＮの両方が押されている（操作されている）か否かを判定する。
【００４９】
ここで、プラス及びマイナキーＰＬ，ＭＮの双方が操作されていると判定したときは（Ｐ２→ＹＥＳ）、ステップＰ３（ａ）に進んで、設定音量を、ＲＡＭ２の設定情報記憶エリア２Ａに保持されている標準音量に再設定する処理を行う。
【００５０】
一方、プラス及びマイナキーＰＬ，ＭＮの双方が操作されていないと判定したときは（Ｐ２→ＮＯ）、ステップＰ４に進んで、判定内容に対応する処理を行う。例えば、プラスキーＰＬのみが操作されている場合は所定量だけ音量設定を増大する処理を行い、逆に、マイナキーＭＮのみが操作されている場合には所定量だけ音量設定を減少する処理を行う。また、プラスキーＰＬやマイナキーＭＮが操作されない場合は、音量設定に関する処理を行わない。
【００５１】
そして、ステップＰ３，Ｐ４の何れかの処理の後は、ステップＰ５に進む。このステップＰ５では、ステップＰ３，Ｐ４で設定音量の変更が生じた場合に、各ステップで変更された設定音量を、表示器（ＬＣＤ）１４の音量レベル表示部ＶＭにおける音量表示に反映させる（設定音量の変更がない場合はスルー）。そして、ステップＰ５の処理の後、通常使用時の音量設定処理を終了する。
【００５２】
〔２〕音量設定モードＭｖをＲＡＭに保持する場合
〔１〕の場合には、標準音量設定値（プリセット値）ＳｖそのものをＲＡＭ２の設定情報記憶エリア２Ａに記憶させているが、以下に説明するように、起動時に音量設定モードＭｖを選択して情報記憶エリア２Ａに設定記憶させてもよい。音量設定モードＭｖをＲＡＭに保持する場合には、少なくとも、大小２種類のプリセット値Ｓｖと、これに対応する音量設定モードＭｖとが、音量設定テーブルＶＴに含まれる。この場合の動作フローは、図３のステップＳ３〜Ｓ５，Ｐ３において（ｂ）で示される処理が実行される。
【００５３】
図３（１）の起動時の処理〔１〕については、〔１〕の場合と同様に、電源スイッチＰＷのオン操作によりスタートし、最初のステップＳ１で、電源スイッチＰＷのオン操作中の音量制御操作子（マイナスキー）ＭＮの操作状態を表わす操作状態情報を取得し、さらに、ステップＳ２において、この操作状態情報からマイナスキーＭＮが押されているか否かを判定する。
【００５４】
ここで、マイナスキーＭＮが押されていると判定したときは（Ｓ２→ＹＥＳ）、ステップＳ３（ｂ）に進み、モード「小」即ち小音量モードＭｖを設定し、ＲＡＭ２の設定情報記憶エリア２Ａに保持する。一方、マイナスキーＭＮが押されていないと判定したときには（Ｓ２→ＮＯ）、ステップＳ４（ｂ）に進んで、モード「大」即ち大音量モードＭｖを設定し、ＲＡＭ２の設定情報記憶エリア２Ａに保持する。
【００５５】
ステップＳ３（ｂ），Ｓ４（ｂ）の何れかの処理の後は、ステップＳ５（ｂ）に進み、電子楽器の音量設定を、設定情報記憶エリア２Ａに設定保持された音量設定モードＭｖに対応するプリセット値Ｓｖに基づく標準音量にする。そして、次のステップＳ６において、表示器（ＬＣＤ）１４の音量レベル表示部ＶＭにおける音量表示に反映させた後、起動時の処理〔１〕を終了する。
【００５６】
図３（２）の通常使用時の音量設定処理については、〔１〕の場合と同様に、通常使用中にタイマ割込みなどで周期的に起動され、最初のステップＰ１で、音量制御操作子（プラス及びマイナスキー）ＰＬ，ＭＮの操作状態を表わす操作状態情報を取得し、次のステップＰ２で、プラスキーＰＬ及びマイナスキーＭＮの両方が押されている（操作されている）か否かを判定する。ここで、プラス及びマイナキーＰＬ，ＭＮの双方が操作されていると判定したときは（Ｐ２→ＹＥＳ）、ステップＰ３（ｂ）に進んで、設定音量を、ＲＡＭ２の設定情報記憶エリア２Ａに保持されている音量設定モードＭｖに対応するプリセット値Ｓｖに基づく標準音量に戻した（再設定した）後、ステップＰ５に進む。
【００５７】
一方、プラス及びマイナキーＰＬ，ＭＮの双方が操作されていないと判定したときは（Ｐ２→ＮＯ）、〔１〕の場合と同様に、ステップＰ４で判定内容に対応する処理を行った後、ステップＰ５に進む。そして、ステップＰ５で表示器（ＬＣＤ）１４の音量レベル表示部ＶＭにおける音量表示に反映させた後、通常使用時の音量設定処理を終了する。
【００５８】
図４は、ステップＰ３（ｂ）における標準音量設定ルーチンにおける動作をより詳しく表わすフローチャートである。プラス及びマイナキーＰＬ，ＭＮの双方が操作されていると判定したときには（図３：Ｐ２→ＹＥＳ）、ステップＰ３１に進んで、ＲＡＭ２の設定情報記憶エリア２Ａに保持されている音量設定モードＭｖがモード「小」即ち小音量モードを表わしているか否かを判定する。
【００５９】
ここで、音量設定モードＭｖが小音量モードを表わしていると判定したときは（Ｐ３１→ＹＥＳ）、ステップＰ３２に進み、標準音量を、設定情報記憶エリア２Ａに保持されている音量設定モードＭｖに対応するプリセット値（即ち、音量設定テーブルＶＴのプリセット値Ｓｖのうち小さい方）に設定して、通常使用時の音量設定処理〔図３（２）〕のステップＰ５にリターンする。
【００６０】
一方、音量設定モードＭｖが大音量モードを表わしていると判定したときには（Ｐ３１→ＮＯ）、ステップＰ３３に進んで、標準音量を、設定情報記憶エリア２Ａに保持されている音量設定モードＭｖに対応するプリセット値（即ち、音量設定テーブルＶＴのプリセット値Ｓｖのうち大きい方）に設定して、通常使用時の音量設定処理〔図３（２）〕のステップＰ５にリターンする。
【００６１】
〔３〕音量設定レンジＲｖを利用する場合
上述した〔１〕，〔２〕の場合の動作例では、電子楽器の起動時に、標準音量設定値（プリセット値）Ｓｖのみを設定するようにしているが、プリセット値Ｓｖだけでなく、音量制御可能な範囲を表わす音量設定レンジＲｖを同時に設定し、音量制御操作子ＰＬ，ＭＮにより音量設定が可能な範囲を音量設定レンジＲｖに基づく最小値や最大値で制限することができるようにしても良い。
【００６２】
このように音量設定レンジＲｖを利用する場合には、複数（典型的には、記述のように大小２種類）のプリセット値Ｓｖとこれに対応する音量設定レンジＲｖ（図２の破線部）とが音量設定テーブルＶＴに含まれる。図５は、起動時に音量設定テーブルの音量設定レンジを利用する起動時の処理〔２〕を表わすフローチャートである。
【００６３】
図５の起動時の処理〔２〕は、図３（１）の起動時の処理〔１〕と同様に、電源スイッチＰＷのオン操作により起動され、最初のステップＳ１１で、電源スイッチＰＷのオン操作中の音量制御操作子（マイナスキー）ＭＮの操作状態を表わす操作状態情報を取得し、続くステップＳ１２にて、取得された操作状態情報からマイナスキーＭＮが押されている（操作されている）か否かを判定する。
【００６４】
ここで、マイナスキーＭＮが操作されていると判定したときは（Ｓ１２→ＹＥＳ）、ステップＳ１３に進んで、標準音量を、プリセット値Ｓｖのうち小さい方に設定し、ＲＡＭ２の設定情報記憶エリア２Ａに保持すると共に、次のステップＳ１４にて、音量設定レンジＲｖのうち小さい方のレンジ（図２の例では、最小値“１”〜最大値“５０”）を音量決定可能範囲として設定情報記憶エリア２Ａに設定保持する。
【００６５】
一方、マイナスキーＭＮが操作されていないと判定したときには（Ｓ２→ＮＯ）、ステップＳ１５に進み、標準音量をプリセット値Ｓｖのうち大きい方に設定し、ＲＡＭ２の設定情報記憶エリア２Ａに保持すると共に、次のステップＳ１６にて、音量設定レンジＲｖのうち大きい方のレンジ（図２の例では、最小値“１０”〜最大値“１２７”）を音量決定可能範囲として設定情報記憶エリア２Ａに設定保持する。
【００６６】
ステップＳ１４，Ｓ１６の何れかの処理の後は、ステップＳ１７に進み、電子楽器の設定音量を、設定情報記憶エリア２Ａに設定保持された標準音量Ｓｖに設定する。そして、次のステップＳ１８において、表示器（ＬＣＤ）１４の音量レベル表示部ＶＭにおける音量表示に反映させる（相対的なレベル表示が可能）と共に、必要に応じて、設定された音量設定レンジＲｖを表示器１４などに表示させた後、起動時の処理〔２〕を終了する。
【００６７】
音量設定レンジＲｖを利用する場合、起動時の処理については、上述のようにステップＳ１４，Ｓ１６での音量設定レンジＲｖ設定処理が追加され、また、相対的な音量レベル表示が可能である点を除いて、図３（１）の起動時の処理〔１〕と格別相違しない。
【００６８】
従って、通常使用時の音量設定処理については、音量設定レンジＲｖを利用する場合も、図３（２）の処理フローをそのまま適用することができる。ただし、ステップＳ１４，Ｓ１６で音量設定レンジＲｖが設定情報記憶エリア２Ａに設定保持されているので、図３（２）のステップＰ２において、プラス及びマイナキーＰＬ，ＭＮの双方が操作されていないと判定して（Ｐ２→ＮＯ）ステップＰ４に進んだ場合は、この音量設定レンジＲｖで規定される範囲内でのみ、プラス及びマイナキーＰＬ，ＭＮのユーザ操作に基づき音量設定を変更することができる。
【００６９】
つまり、ステップＰ２でプラスキーＰＬのみ或いはマイナキーＭＮのみが操作された場合は、プラス或いはマイナスキーＰＬ，ＭＮの操作に応じて所定量ずつ音量設定を増減する処理が行われるが、音量設定レンジＲｖの最小値又は最大値を越えて音量設定を行うことがないように音量設定範囲を制限する。例えば、図２の音量設定テーブルＶＴにおいて小さい方の音量プリセット値Ｓｖ＝“４３”が設定されていると、これに対応して音量設定レンジＲｖの最大値＝“５０”が設定されているので、音量設定は、ユーザがプラスキーＰＬを何回操作しても最大値＝“５０”を超えることがない。
【００７０】
以上、図面を参照しつつこの発明の好適な実施の一形態について説明したが、これらは単なる一例であって、この発明は、発明の精神を逸脱しない範囲で種々の変更が可能である。例えば、実施例では、大小２種類の標準音量設定値を用意しておき、起動時にマイナスキーＭＮが押されていると小さい値が選択・設定されるように構成しているが、逆に、起動時にプラスキーＰＬが押されていたときに大きい値が設定される（プラスキーＰＬが押されていない場合は小さい値が設定される）ようにしてもよい。
【００７１】
また、３種類以上の標準音量設定値を用意しておき、起動時におけるマイナス及びプラスキーＭＮ，ＰＬの操作状態（夫々が単独に操作されているか、両方が操作されているか、何れも操作されていないか等）に応じて所定の値が選択・設定されるように構成してもよい。例えば、３種類の標準音量設定値を用意する場合、起動時にマイナスキーＭＮが押されていると最小値を選択し、起動時にプラスキーＰＬが押されていと最大値を選択し、起動時にマイナス及びプラスキーＭＮ，ＰＬの何れも押されていないと中間値を選択する。また、４種類の標準音量設定値の場合は、マイナスキーＭＮの操作で小さい値を選択し、プラスキーＰＬの操作で大きい値を選択・設定し、マイナス及びプラスキーＭＮ，ＰＬの両方の操作で中間値を選択・設定し、マイナス及びプラスキーＭＮ，ＰＬの何れも非操作で最小値或いは最大値を選択・設定する。等々。
【図面の簡単な説明】
【００７２】
【図１】この発明の一実施例による電子楽器のハードウエア構成ブロック図である。
【図２】この発明の一実施例による電子楽器で利用される音量設定テーブルを説明するための図である。
【図３】この発明の一実施例による電子楽器における音量設定処理の一例を表わすフローチャートである。
【図４】この発明の一実施例による電子楽器において音量設定モードを記憶する場合の音量設定ルーチンの処理例を表わすフローチャートである。
【図５】この発明の一実施例による電子楽器における起動時の他の音量設定処理例（起動時の処理〔２〕）を表わすフローチャートである。
【符号の説明】
【００７３】
２Ａ  設定情報保持エリア、
ＶＴ  音量設定テーブル、
ＰＷ，ＰＳ  電源スイッチ及び電源制御パネル部、
ＶＭ，ＶＳ  音量レベル表示部及び音量設定パネル部、
ＰＬ，ＭＮ  音量増大用プラスキー及び音量減少用マイナスキー、
Ｍｖ  音量設定モード（の種別）、
Ｓｖ，Ｒｖ、標準音量設定（プリセット）値及び音量設定レンジ。
【図１】
2006184707.tif 000003
【図２】
2006184707.tif 000004
【図３】
2006184707.tif 000005
【図４】
2006184707.tif 000006
【図５】
2006184707.tif 000007